(57)【要約】【課題】  装用感が良好でピッタリと密着した装着状態を保つことができ、また、長時間の装着によるムレやかぶれの心配も少なく、しかも、製造も容易な犬猫等のペット用紙おむつを提供すること。【解決手段】  犬猫等の股間部を被覆するおむつパッド１前部に、一本のバンドから成るサスペンダー２の一端を固着すると共に、このサスペンダー２は、犬猫等の下腹部から頸部、背部を通して尻尾下方でおむつパッド１後部に他端部を着脱自在に連結可能とする一方、前記おむつパッド１の側部には、犬猫等の胴回りに巻着される胴巻きベルト３を配設し、かつ、前記サスペンダー２の中域部と連結端部とに、犬猫等の頭部から頸部へ挿通可能な第１スリット部と、尻尾を挿通可能な第２スリット部とをそれぞれ設けると共に、前記サスペンダー２における少なくとも固着端部21と第１スリット部の間に伸縮バンド26を使用した。【選択図】  図１
2009055888.tif 000002
【特許請求の範囲】
【請求項１】
犬猫等の股間部を被覆するおむつパッド１を備えたペット用紙おむつにおいて、
前記おむつパッド１の前部に、一本のバンドから成るサスペンダー２の一端が固着されると共に、このサスペンダー２は、犬猫等の下腹部から頸部、背部を通って尻尾下方でおむつパッド１後部に他端部が着脱自在に連結可能である一方、前記おむつパッド１の側部には、犬猫等の胴回りに巻着される胴巻きベルト３が配設されており、かつ、
前記サスペンダー２の中域部と連結端部22とに、犬猫等の頭部から頸部へ挿通可能な第１スリット部24と、尻尾を挿通可能な第２スリット部25とがそれぞれ設けられると共に、前記サスペンダー２における少なくとも固着端部21と第１スリット部24の間に伸縮バンド26が使用されていることを特徴とする犬猫等のペット用紙おむつ。
【請求項２】
犬猫等の股間部を被覆するおむつパッド１を備えたペット用紙おむつにおいて、
前記おむつパッド１の後部に、一本のバンドから成るサスペンダー２の一端が固着されると共に、このサスペンダー２は、犬猫等の尻尾下方から背部、頸部を通って下腹部でおむつパッド１前部に他端部が着脱自在に連結可能である一方、前記おむつパッド１の側部には、犬猫等の胴回りに巻着される胴巻きベルト３が配設されており、かつ、
前記サスペンダー２の中域部と固着端部21とに、犬猫等の頭部から頸部へ挿通可能な第１スリット部24と、尻尾を挿通可能な第２スリット部25とがそれぞれ設けられると共に、前記サスペンダー２における少なくとも連結端部22と第１スリット部24の間、及び第１スリット部24と固着端部21の間に伸縮バンド26が使用されていることを特徴とする犬猫等のペット用紙おむつ。
【請求項３】
犬猫等の股間部を被覆するおむつパッド１を備えたペット用紙おむつにおいて、
前記おむつパッド１の前後部に、二本一対のバンドＢ・Ｂ'から成るサスペンダー２の各バンドの一端が固着されると共に、前記サスペンダー２は、一方のバンドＢが、犬猫等の下腹部から頸部、背部を通り、もう一方のバンドＢ'が尻尾下方から背部を通ってそれぞれの他端部同士を着脱自在に連結可能である一方、前記おむつパッド１の側部には、犬猫等の胴回りに巻着される胴巻きベルト３が配設されており、かつ、
前記サスペンダー２における一方のバンドＢの中域部ともう一方のバンドＢ'の固着端部21'とに、犬猫等の頭部から頸部へ挿通可能な第１スリット部24と、尻尾を挿通可能な第２スリット部25とがそれぞれ設けられると共に、前記サスペンダー２における少なくとも一方のバンドＢの固着端部21と第１スリット部24の間に伸縮バンド26が使用されていることを特徴とする犬猫等のペット用紙おむつ。
【請求項４】
二本一対のバンドＢ・Ｂ'から成るサスペンダー２において、バンドＢ・Ｂ'同士の連結部に止着位置をガイドする複数の目盛り28a・28a…を付したことを特徴とする請求項３記載の犬猫等のペット用紙おむつ。
【請求項５】
サスペンダー２における第１スリット部24及び／又は第２スリット部25の形成箇所に伸縮バンド26を使用したことを特徴とする請求項１〜４の何れか一つに記載の犬猫等のペット用紙おむつ。
【請求項６】
サスペンダー２における第２スリット部25に伸縮バンド26・26を使用すると共に、おむつ本体１の後部に伸縮性を有するギャザー部13を形成して、第２スリット部25内に挿入された尻尾を、前記伸縮バンド26・26とギャザー部13により作出される三角開口部で挟持可能としたことを特徴とする請求項１〜５記載の犬猫等のペット用紙おむつ。
【請求項７】
サスペンダー２の第１スリット部24及び／又は第２スリット部25にミシン目部27が設けられて任意の長さのスリット開口部が形成可能であることを特徴とする請求項１〜６の何れか一つに記載の犬猫等のペット用紙おむつ。
【請求項８】
サスペンダー２の第１スリット部24及び／又は第２スリット部25に形成されたミシン目部27に、破断端の位置をガイドする複数の目盛り28b・28b…を付したことを特徴とする請求項１〜７記載の犬猫等のペット用紙おむつ。
【請求項９】
胴巻きベルト３に面着ファスナー31aを取着してサスペンダー２に着脱自在に固定可能としたことを特徴とする請求項１〜８の何れか一つに記載の犬猫等のペット用紙おむつ。
【請求項１０】
サスペンダー２及び／又は胴巻きベルト３は、表面側と裏面側とがそれぞれに識別可能に配色されていることを特徴とする請求項１〜９の何れか一つに記載の犬猫等のペット用紙おむつ。
【請求項１１】
犬猫等の股間部を被覆するおむつパッドＰを備えたペット用紙おむつに使用する装着バンドであって、
おむつパッドＰに着脱自在に連結され、かつ、パッド前部側のバンドＢが、犬猫等の下腹部から頸部、背部を通り、パッド後部側のバンドＢ'が尻尾下方から背部を通ってそれぞれの端部同士が着脱自在に連結可能なサスペンダー２と、おむつパッドＰに着脱自在に連結され、かつ、犬猫等の胴回りに巻着される胴巻きベルト３とから構成される一方、
前記サスペンダー２における前部側バンドＢの中域部と、後部側バンドＢ'のパッド近傍とに、犬猫等の頭部から頸部へ挿通可能な第１スリット部24と、尻尾を挿通可能な第２スリット部25とがそれぞれ設けられると共に、前記サスペンダー２における前部側バンドＢのパッド近傍から第１スリット部24の間に伸縮バンド26が使用されていることを特徴とするペット用紙おむつに使用する装着バンド。
【発明の詳細な説明】
【技術分野】
【０００１】
本発明は、犬猫等のペット用紙おむつの改良、詳しくは、装用感が良好でピッタリと密着した装着状態を保つことができ、また、長時間の装着によるムレやかぶれの心配も少なく、しかも、製造も非常に容易な犬猫等のペット用紙おむつ、及びペット用紙おむつに使用する装着バンドに関するものである。
【背景技術】
【０００２】
周知の通り、犬をペットとして飼う場合において、トイレやマーキングの躾けが必要な小犬や、呆けや老衰によって上手く用便のできない老犬に対しておむつを使用することがある。
【０００３】
そして、その際に使用されるおむつには、使い捨てできる紙おむつが非常に便利で、このような犬用の紙おむつとしては、後脚を開口部に通して胴体の後半身に装着し、後部位置には尻尾を通す挿通孔を備えたパンツ型の紙おむつが従来において広く知られている（例えば、特許文献１参照）。
【０００４】
しかしながら、上記従来のパンツ型の紙おむつは、長時間装着した場合において臀部全体がムレて皮膚疾患を起こし易く、特にムレが生じ易い長毛質の犬種に関しては、皮膚の状態を気に懸ける必要があった。
【０００５】
加えて、パンツ型おむつは、犬が動き回ってもずり落ちないように胴体部及び後脚部をおむつの開口部で締め付けて固定する構造であったが、この締付けが長時間継続することによりかぶれを引き起こすことがあった。
【０００６】
一方、従来においては、＜特許文献２＞にあるような、犬の下腹部から股間部を被覆するおむつパッドを使用して、パッド前部にバンドを取り付け、そのバンドを首輪と連結すると共に、パッド後部にも二本一対のバンドを設けて、これらの内、一方を後脚の間を通して尻尾上方に持ち上げ、もう一方も胴体の両側から尻尾上方に持ち上げて両者を連結することにより装着を行う構造の犬用おむつも公知となっている。
【０００７】
ところが、上記＜文献２＞の犬用おむつは、バンドに伸縮性がないために、着用したとたんに、体が締め付けられるため犬が嫌がって、おむつを外そうと暴れることがあり、また、激しく動き回った際には、おむつパッドが前後にズレて股間部に擦れることでかぶれの原因になることもあった。
【０００８】
また、これを解決するために上記従来の紙おむつに伸縮性バンドを使用した場合であっても、排泄物を収容したおむつパッドが重みで沈下して股間部との間に隙間が生じ、この隙間から糞尿漏れが起きるなどの問題があった。
【０００９】
そしてまた、上記＜文献２＞の紙おむつは、首輪に連結するバンドを挿通するためのバンド通し部をおむつパッドの前端部に設けなければならない等、製造面でも非常に面倒であった。
【００１０】
また、従来においては、＜特許文献３＞にあるような、犬の背中を通して首輪とおむつパッドとを連結し、尻尾を挿通して装着する背中バンドと、犬の胴回りを通しておむつパッドを両側から吊支する吊支バンドとから成るおむつ構造も公知となっている。
【００１１】
ところが、この従来のおむつ構造においても、おむつパッドが前後にズレないようにするために、吊支バンドを背中バンドに連結する必要があったため、犬の体勢により背中バンドが変形した際に連結部分が前後に動いて一時的に吊支バンドが緩んでしまい、これが装着感を悪化させる要因となっていた。
【特許文献１】特開２００７−１３５４１２号公報（第２−５頁、第１〜６図）
【特許文献２】特開２００６−５５０１１号公報（第２−８頁、第１〜４図）
【特許文献３】特開平７−２４６０３６号公報（第２−７頁、第１〜４図）
【発明の開示】
【発明が解決しようとする課題】
【００１２】
本発明は、上記の如き問題に鑑みて為されたものであり、その目的とするところは、装用感が良好でピッタリと密着した装着状態を保つことができ、また、長時間の装着によるムレやかぶれの心配も少なく、しかも、製造も非常に容易な犬猫等のペット用紙おむつ、及びペット用紙おむつに使用する装着バンドを提供することにある。
【課題を解決するための手段】
【００１３】
本発明者が、上記課題を解決するために採用した手段を添付図面を参照して説明すれば次のとおりである。
【００１４】
即ち、本発明は、犬猫等の股間部を被覆するおむつパッド１を備えたペット用紙おむつにおいて、
前記おむつパッド１前部に、一本のバンドから成るサスペンダー２の一端を固着すると共に、このサスペンダー２は、犬猫等の下腹部から頸部、背部を通して尻尾下方でおむつパッド１後部に他端部を着脱自在に連結可能とする一方、前記おむつパッド１の側部には、犬猫等の胴回りに巻着される胴巻きベルト３を配設し、かつ、
前記サスペンダー２の中域部と連結端部22とに、犬猫等の頭部から頸部へ挿通可能な第１スリット部24と、尻尾を挿通可能な第２スリット部25とをそれぞれ設けると共に、前記サスペンダー２における少なくとも固着端部21と第１スリット部24の間に伸縮バンド26を使用した点に特徴がある。
【００１５】
また、本発明においては、上記課題を解決するために、必要に応じて上記手段に加え、犬猫等の股間部を被覆するおむつパッド１を備えたペット用紙おむつにおいて、
前記おむつパッド１後部に、一本のバンドから成るサスペンダー２の一端を固着すると共に、このサスペンダー２は、犬猫等の尻尾下方から背部、頸部を通して下腹部でおむつパッド１前部に他端部を着脱自在に連結可能とする一方、前記おむつパッド１の側部には、犬猫等の胴回りに巻着される胴巻きベルト３を配設し、かつ、
前記サスペンダー２の中域部と固着端部21とに、犬猫等の頭部から頸部へ挿通可能な第１スリット部24と、尻尾を挿通可能な第２スリット部25とをそれぞれ設けると共に、前記サスペンダー２における少なくとも連結端部22と第１スリット部24の間、及び第１スリット部24と固着端部21の間に伸縮バンド26を使用するという技術的手段を採用するという技術的手段を採用することができる。
【００１６】
また、本発明においては、上記課題を解決するために、必要に応じて上記手段に加え、犬猫等の股間部を被覆するおむつパッド１を備えたペット用紙おむつにおいて、
前記おむつパッド１の前後部に、二本一対のバンドＢ・Ｂ'から成るサスペンダー２の各バンドの一端を固着すると共に、前記サスペンダー２は、一方のバンドＢを、犬猫等の下腹部から頸部、背部を通し、もう一方のバンドＢ'を尻尾下方から背部を通してそれぞれの他端部同士を着脱自在に連結可能とする一方、前記おむつパッド１の側部には、犬猫等の胴回りに巻着される胴巻きベルト３を配設し、かつ、
前記サスペンダー２における一方のバンドＢの中域部ともう一方のバンドＢ'の固着端部21'とに、犬猫等の頭部から頸部へ挿通可能な第１スリット部24と、尻尾を挿通可能な第２スリット部25とをそれぞれ設けると共に、前記サスペンダー２における少なくとも一方のバンドＢの固着端部21と第１スリット部24の間に伸縮バンド26を使用するという技術的手段を採用することができる。
【００１７】
また、本発明においては、上記課題を解決するために、必要に応じて上記手段に加え、二本一対のバンドＢ・Ｂ'から成るサスペンダー２において、バンドＢ・Ｂ'同士の連結部に止着位置をガイドする複数の目盛り28a・28a…を付すという技術的手段を採用することができる。
【００１８】
また、本発明においては、上記課題を解決するために、必要に応じて上記手段に加え、サスペンダー２における第１スリット部24及び／又は第２スリット部25の形成箇所に伸縮バンド26を使用するという技術的手段を採用することができる。
【００１９】
また、本発明においては、上記課題を解決するために、必要に応じて上記手段に加え、サスペンダー２における第２スリット部25に伸縮バンド26・26を使用すると共に、おむつ本体１の後部に伸縮性を有するギャザー部13を形成して、第２スリット部25内に挿入された尻尾を、前記伸縮バンド26・26とギャザー部13により作出される三角開口部で挟持可能とするという技術的手段を採用することができる。
【００２０】
また、本発明においては、上記課題を解決するために、必要に応じて上記手段に加え、サスペンダー２の第１スリット部24及び／又は第２スリット部25にミシン目部27を設けて開口部を任意の長さに形成可能とするという技術的手段を採用することができる。
【００２１】
また、本発明においては、上記課題を解決するために、必要に応じて上記手段に加え、サスペンダー２の第１スリット部24及び／又は第２スリット部25に形成されたミシン目部27に、破断端の位置をガイドする複数の目盛り28b・28b…を付すという技術的手段を採用することができる。
【００２２】
また、本発明においては、上記課題を解決するために、必要に応じて上記手段に加え、胴巻きベルト３に面着ファスナー31aを取着してサスペンダー２に着脱自在に固定可能とするという技術的手段を採用することができる。
【００２３】
また、本発明においては、上記課題を解決するために、必要に応じて上記手段に加え、サスペンダー２及び／又は胴巻きベルト３を、表面側と裏面側とがそれぞれに識別可能な配色とするという技術的手段を採用することができる。
【００２４】
また、本発明においては、上記課題を解決するために、必要に応じて上記手段に加え、犬猫等の股間部を被覆するおむつパッドＰを備えたペット用紙おむつに使用する装着バンドであって、
おむつパッドＰに着脱自在に連結され、かつ、パッド前部側のバンドＢが、犬猫等の下腹部から頸部、背部を通り、パッド後部側のバンドＢ'が尻尾下方から背部を通ってそれぞれの端部同士が着脱自在に連結可能なサスペンダー２と、おむつパッドＰに着脱自在に連結され、かつ、犬猫等の胴回りに巻着される胴巻きベルト３とから構成する一方、
前記サスペンダー２における前部側バンドＢの中域部と、後部側バンドＢ'のパッド近傍とに、犬猫等の頭部から頸部へ挿通可能な第１スリット部24と、尻尾を挿通可能な第２スリット部25とをそれぞれ設けると共に、前記サスペンダー２における前部側バンドＢのパッド近傍から第１スリット部24の間に伸縮バンド26を使用するという技術的手段を採用することができる。
【発明の効果】
【００２５】
本発明では、犬猫等の股間部を被覆可能なおむつパッドに対して、一本のバンドから成り、犬猫等の下腹部から頭部、背部を通してパッド前後に連結されるサスペンダーと、犬猫等の胴回りに巻着する胴巻きベルトとを備えて構成したことにより、サスペンダーと胴巻きベルトを装着すれば、臀部全体でなく股間部だけを部分的に被覆することが可能となるため、おむつによる被覆面積を縮小化することができ、長毛質の犬種であってもムレの心配が非常に少ない。
【００２６】
そして更に、サスペンダーの所定部位に設けたスリットに犬猫等の頸部及び尻尾を挿通すれば、おむつパッドの位置が股間部から大きくズレるようなことはないため、胴巻きベルトを犬猫等の体にきつく締め付けて固定する必要はなく、長時間の着用によるかぶれも生じない。
【００２７】
また本発明では、サスペンダーにおける犬猫等の下腹部に当接する部位に伸縮バンドを使用したことにより、着用したまま犬猫等が動き回っても前記伸縮バンドが伸び縮みしてサスペンダーが体を締め付けることはなく、また、おむつパッドがズレて股間部を擦ることもないため、装用感は良好で犬猫等がおむつの装着を嫌がることもない。
【００２８】
一方、おむつパッドは胴巻きベルトでしっかりと吊支されるためおむつパッドが排泄物の重みで沈下するようなことはなく、また、胴巻きベルトはサスペンダーと独立して固定することもできるため、犬が動き回っても股間部にピッタリと密着した装着状態を保つことができる。
【００２９】
そしてまた、本発明における紙おむつの構造は、おむつパッドの前部及び両側部にサスペンダーや胴巻きベルトを固着するだけの簡単な構造であるため、製造も容易である。
【００３０】
また更に、前記サスペンダーのスリットにミシン目部を設ければ、着用する犬の頭部の大きさや尻尾の太さに合わせてスリット開口部の大きさを調節することができるため、様々な体型の犬種に対してフィットした装着状態を得ることができる。
【００３１】
したがって、本発明により、ペットに優しく、おむつとしての機能性にも優れ、かつ、製造面でも好都合なペット用紙おむつを提供できることから、本発明の実用的利用価値は頗る高い。
【発明を実施するための最良の形態】
【００３２】
『実施例１』
本発明の実施例１を具体的に図示した図１から図３に基いて更に詳細に説明すると次のとおりである。まず、図中において符号１で指示するものは、犬用おむつパッドであり、符号２で指示するものは、サスペンダーである。そして、符号３で指示するものは、胴巻きベルトである。
【００３３】
次に、本実施例の構成を以下から説明する。まず、本実施例においては、吸水性材料を固定した尿取り部11と窪み形状の糞収容部12とを備え、かつ、通気性の高い不織布を生地材料としておむつパッド１を作製すると共に、おむつパッド１の両側には、犬の股間部に対するフィット感を高める伸縮性のギャザー部13を形成した（図１参照）。
【００３４】
そして、おむつパッド１前部には、一本の不織布製バンドから成るサスペンダー２の一端を固着すると共に、この固着端部21と反対側の他端部である連結端部22を、犬の下腹部から頸部、背部を通して尻尾下方でおむつパッド１の後部に着脱自在に連結できるように形成した（図２、図３参照）。
【００３５】
なお本実施例では、サスペンダー２の連結端部22に、おむつパッド１の不織布生地に対して着脱自在なベルクロ式（粘着式でも可能）の面着部材23を取着して、前記連結端部22のおむつパッド１への止着位置を前後させることにより背中側のバンド長さを調節可能としている。
【００３６】
加えて本実施例では、犬の腹部を安定して支持できるようにサスペンダー２の固着端部21側を二股に分岐させている。
【００３７】
また、サスペンダー２の中域部と連結端部22とには、犬の頭部から頸部へ挿通可能な第１スリット部24と尻尾を挿通可能な第２スリット部25とをそれぞれ設けた。
【００３８】
さらに、サスペンダー２における固着端部21と第１スリット部24の間には、不織布に弾性糸を挿入して作製した伸縮バンド26を非伸縮性のバンドに接続して介設した。
【００３９】
また、おむつパッド１の両側部前後には、二本一対の非伸縮性バンド（本実施例では、「不織布」）から成り、一方のバンドに取着した面着部材31をもう一方のバンドに連結することで犬の胴回りに巻着可能な胴巻きベルト３を配設した。
【００４０】
なお本実施例では、サスペンダー２及び胴巻きベルト３・３をおむつ本体１に縫着して構成しているが、縫着以外の接着、熱融着、一体成形、ボタン止め、クリップ止めなど他の固着手段を採用してもよく、また、胴巻きベルト３には、一本もののバンドを使用してもよい。
【００４１】
上記のように構成したことによって、サスペンダー２と胴巻きベルト３・３を装着すればおむつパッド１で犬の股間部だけを部分的に被覆することが可能となる。
【００４２】
さらに、サスペンダー２の第１スリット部24及び第２スリット部25に犬の頭部と尻尾を挿入して固定すれば、おむつパッド１の位置が股間部から大きくズレるようなことはないため、サスペンダー２及び胴巻きベルト３を犬の胴体にきつく締め付ける必要もない。
【００４３】
また、着用したまま犬が動き回ってもサスペンダー２の伸縮バンド26が伸び縮みするため、サスペンダー２が体を締め付けることはなく、また、おむつパッドが前後にズレて股間部に擦れるようなこともない。
【００４４】
一方、おむつパッド１は胴巻きベルト３・３でしっかりと吊支されるため排泄物の重みで沈下して隙間が生じる心配もない。
【００４５】
そしてまた、本発明におけるペット用紙おむつは、おむつパッドにサスペンダー及び胴巻きベルトを固着しただけの簡単な構造であるため、製造も非常に容易であり、また、おむつパッド１及びサスペンダー２、胴巻きベルト３は安価な不織布製であるため、使用後はそのまま廃棄することが可能である。
【００４６】
他方また、装着作業に関しても、サスペンダー２の第１スリット部24及び第２スリット部25に犬の頭部と尻尾を通した後、サスペンダー２の連結端部22とおむつパッド１後部とを犬の胴体の長さに合わせて連結し、その後、胴巻きベルト３・３を犬の胴体に巻着するだけでよいため、非常に簡単である。
【００４７】
また本実施例では、サスペンダー２の第１スリット部24の形成箇所に伸縮バンド26を使用したことにより、開口部を頻繁に動作する犬の首にフィットさせることができる。
【００４８】
なお、サスペンダー２の第２スリット部25の形成箇所に伸縮バンド26を使用して、首と同様、頻繁に動作する尻尾に対して開口部をフィットさせることも勿論可能である。
【００４９】
『実施例２』
次に、本発明の実施例２を図４に基いて説明する。本実施例においては、おむつパッド１後部にサスペンダー２の一端を固着すると共に、この固着端部21の反対側には連結端部22を設けて、この連結端部を、犬の尻尾下方から背部、頭部を通して下腹部でおむつパッド１前部に着脱自在に連結できるように形成した（図４参照）。
【００５０】
そして、サスペンダー２の中域部と固着端部21とには、犬の頭部を挿通可能な第１スリット部24と、尻尾を挿通可能な第２スリット部25とをそれぞれ設け、サスペンダー２における連結端部22と第１スリット部24との間に加えて、第１スリット部24と固着端部21との間にも伸縮バンド26を使用して作製した。
【００５１】
これにより、第２スリット部25に犬の尻尾を先に挿通してからサスペンダー２を装着できるため、装着作業が非常に簡単であり、また、第１スリット部24と固着端部21との間に使用した伸縮バンド26が犬の胴体の長さに応じて伸び縮みするため、胴体の長さが異なる犬種であっても幅広く使用できる。
【００５２】
『実施例３』
次に、本発明の実施例３を図５に基いて説明する。本実施例においては、おむつパッド１の前後部に、二本一対のバンドＢ・Ｂ'から成るサスペンダー２のバンド各々の一端を固着すると共に、サスペンダー２は、一方のバンドＢを、犬猫等の下腹部から頭部、背部を通し、もう一方のバンドＢ'を尻尾下方から背部を通してそれぞれの他端部同士を面着部材23により着脱自在に連結できるようにした（図５参照）。
【００５３】
そして、サスペンダー２における一方のバンドＢの中域部ともう一方のバンドＢ'の前記固着端部21'とに、犬猫等の頭部を挿通可能な第１スリット部24と、尻尾を挿通可能な第２スリット部25とをそれぞれ設けると共に、サスペンダー２における一方のバンドＢの固着端部21と第１スリット部24との間に伸縮バンド26を使用して構成した。
【００５４】
これにより、サスペンダー２のバンドＢ・Ｂ'の連結端部22・22'同士を犬の胴体の長さに合わせて連結することにより、胴体の長さが異なる犬種に対応することができる。
【００５５】
また、サスペンダー２における第２スリット部25の形成箇所に伸縮バンド26を使用したことにより、開口部を挿通した尻尾にフィットさせることができる。
【００５６】
『実施例４』
次に、本発明の実施例４を図６に基いて説明する。本実施例においては、サスペンダー２の第１スリット部23及び第２スリット部24をミシン目状に設けたことにより、使用する際にスリット開口部を装着する犬の頭部及び尻尾の太さや体型に合わせた位置及びサイズに調節して形成することができる(図６参照)。
【００５７】
『実施例５』
次に、本発明の実施例５を図７から図９に基いて説明する。本実施例においては、おむつパッド１後部にタックＴ及び伸縮性ギャザー部13を形成して糞尿の漏れを防止すると共に、第２スリット部25内に挿通された尻尾を、前記伸縮性ギャザー部13と第２スリット部25の伸縮バンド26・26とにより作出される三角開口部で挟持可能とすることにより、尻尾の抜けを防止した（図７参照）。
【００５８】
また本実施例では、サスペンダー２のバンドＢ・Ｂ'同士の連結部に止着位置をガイドする複数の目盛り28a・28a…を付したことにより、繰り返し装着する場合に同じ場所に簡単に止着することができるため、バンド長さの調節が非常に容易となり、また、サスペンダー２の両バンドＢ・Ｂ'の端部に面着部材23・23を配設して、装着時にバンド端部が不定状態となってぶらつかないようにした（図８参照）。
【００５９】
なお本実施例では、胴巻きベルト３の連結部にも複数の目盛り32・32…を付して止着位置の確認を容易にしており、また、胴巻きベルト３の両バンドに面着部材31を配設して両端を固定可能とすることにより、巻着時におけるバンド端部のぶらつきを防止した。
【００６０】
一方、胴巻きベルト３の内側で固定されるバンドには、サスペンダー２に固定可能な面着ファスナー31aを取着したことにより、胴巻きベルト３の前後の位置ズレを防止することができる。
【００６１】
この際、面着ファスナー31aをベルクロ式にすることにより、犬の胴体には付着せず、サスペンダー２の不織布部分にのみ固定することが可能であるため、装着感が損なわれることはない。
【００６２】
加えて、サスペンダー２には、前記胴巻きベルト３の固定位置を確認できる複数の目盛り28c・28c…を付して固定位置を容易に再現できるようにした（図９参照）。
【００６３】
また、サスペンダー２における第１スリット部24及び第２スリット部25の端部にミシン目部27を設けたことにより、スリット開口部を任意の長さに調節して形成することが可能となるため、頭部の大きい犬種や尻尾の太い犬種であっても問題なく使用することができる。
【００６４】
なお本実施例では、サスペンダー２の第１スリット部24及び第２スリット部25のミシン目部27・27に、破断端の位置をガイドする複数の目盛り28b・28b…を付したことにより、再度新しい紙おむつを装着する際、適切なスリット長さを容易に再現することができるため、非常に便利である。
【００６５】
そしてまた、本実施例においては、サスペンダー２及び胴巻きベルト３の表面側と裏面側を異なる色としたことにより、装着時におけるバンドの捩れを簡単に確認できる。
【００６６】
なお、バンドの捩れ防止の手段としては、サスペンダー２及び胴巻きベルト３の表面側と裏面側の色を変える他にも、片面のみに模様を付す等して視覚的に識別できるようにすればよく、また、片面に凹凸を付ける等して手触りを変えて触感的に識別できるようにしてもよい。
【００６７】
『実施例６』
次に、本発明の実施例６を図１０に基いて説明する。本実施例においては、おむつパッドＰに面着部材23・23…で着脱自在であり、パッド前部側のバンドＢが、犬猫等の下腹部から頸部、背部を通り、パッド後部側のバンドＢ'が尻尾下方から背部を通ってそれぞれの端部同士が着脱自在に連結可能なサスペンダー２と、犬猫等の胴回りに巻着される胴巻きベルト３とからペット用紙おむつに使用する装着バンドを構成した（図１０参照）。
【００６８】
そして、前記サスペンダー２における前部側バンドＢの中域部と、後部側バンドＢ'のパッド近傍とに、犬猫等の頭部から頸部へ挿通可能な第１スリット部24と、尻尾を挿通可能な第２スリット部25とをそれぞれ設けると共に、前記サスペンダー２における前部側バンドＢのパッド近傍から第１スリット部24の間に伸縮バンド26を使用した。
【００６９】
これにより、装着バンドをおむつパッドＰから着脱することにより、装着バンドのみを繰り返し使用することができるため、省コスト化を図ることができる。
【００７０】
また本実施例では、サスペンダー２と胴巻きベルト３・３とを縫着して一体化することにより、取扱いの利便性を向上させている。
【００７１】
なお、胴巻きベルト３・３はサスペンダー２に必ず一体化されている必要はないが、別体として構成する場合には、胴巻きベルト３・３にもおむつパッドＰに対して着脱自在となるように面着部材23・23…を配設する。
【００７２】
また装着バンドは、本実施例の形態でなくとも、おむつパッドＰに着脱自在で、かつ、バンド端部が犬猫等の下腹部から頸部、背部を通って尻尾下方でおむつパッドＰの後部に着脱自在に連結可能なサスペンダー２と、犬猫等の胴回りに巻着される胴巻きベルト３とから構成してもよく、また、サスペンダー２に関しては、バンド端部が犬猫等の尻尾下方から背部、頸部を通って下腹部でおむつパッドＰ前部に着脱自在に連結可能となるようにしてもよい。
【００７３】
また、本発明は、概ね上記のように構成されるが、図示の実施形態に限定されるものではなく、「特許請求の範囲」の記載内において種々の変更が可能であって、例えば、おむつパッド１は、尿取り部11のみを備えた小型の形態であってもよく、大きさや形状に関しても使用する犬や猫その他の四脚動物に応じて任意に変更することができる。
【００７４】
また、サスペンダー２や胴巻きベルト３の材料には紙や不織布に限らず、使い捨て可能なシート材や布帛を使用してもよく、また、胴巻きベルト３の配置や形状も任意に変更することができる。
【００７５】
そしてまた、おむつパッド１及びサスペンダー２、胴巻きベルト３の色を犬猫等の毛色に合わせることにより目立たないデザインとしてもよく、また、おむつパッド１及びサスペンダー２、胴巻きベルト３のデザインを工夫して服を着せているように見せてもよい。
【００７６】
また、サスペンダー２に靴や靴下を脱げないように装着するための吊支バンドを取り付けてもよく、何れも本発明の技術的範囲に属する。
【産業上の利用可能性】
【００７７】
近年では、ペットブームにより犬や猫を室内で飼う家庭が急増しており、これらの家庭においてトイレの躾けやマーキングの躾け、雄雌を一緒に飼う場合の交尾防止に利用されるペット用おむつは非常に需要が大きい。また、老犬になった場合の排泄物の処理におむつを利用する飼い主も多く、市場では、安価で使い勝手が良く、しかも、ペットがストレスを感じることのない機能性の高い紙おむつが望まれている。
【００７８】
そのような中で、本発明の犬猫等のペット用紙おむつは、コスト面だけでなく、機能性及び使用性を向上することができる有用な技術であることから、市場における需要は大きく、本発明の産業上の利用価値は非常に高いと云える。
【図面の簡単な説明】
【００７９】
【図１】本発明の実施例１におけるペット用紙おむつを表わす全体上面図である。
【図２】本発明の実施例１におけるペット用紙おむつの使用状態を表わす状態説明図である。
【図３】本発明の実施例１におけるペット用紙おむつの使用状態を表わす状態説明図である。
【図４】本発明の実施例２におけるペット用紙おむつを表わす全体上面図である。
【図５】本発明の実施例３におけるペット用紙おむつを表わす全体上面図である。
【図６】本発明の実施例４におけるペット用紙おむつを表わす全体上面図である。
【図７】本発明の実施例５におけるペット用紙おむつを表わす全体上面図である。
【図８】本発明の実施例５におけるペット用紙おむつの使用状態を表わす状態説明図である。
【図９】本発明の実施例５におけるペット用紙おむつのバンド構造を表わす説明断面図である。
【図１０】本発明の実施例６におけるペット用紙おむつに使用する装着バンドを表わす全体上面図である。
【符号の説明】
【００８０】
１  おむつパッド
11  尿取り部
12  糞収容部
13  ギャザー部
２  サスペンダー
21  固着端部
22  連結端部
23  面着部材
24  第１スリット部
25  第２スリット部
26  伸縮バンド
27  ミシン目部
28  目盛り
28a  止着用目盛り
28b  破断用目盛り
28c  ベルト固定用目盛り
３  胴巻きベルト
31  面着部材
31a  面着ファスナー
32  目盛り
Ｂ  バンド
Ｔ  タック
Ｐ  おむつパッド
【図１】
2009055888.tif 000003
【図２】
2009055888.tif 000004
【図３】
2009055888.tif 000005
【図４】
2009055888.tif 000006
【図５】
2009055888.tif 000007
【図６】
2009055888.tif 000008
【図７】
2009055888.tif 000009
【図８】
2009055888.tif 000010
【図９】
2009055888.tif 000011
【図１０】
2009055888.tif 000012